(57)【要約】【課題】吐出空気の風速を大きくせずとも冷却能力の低下を生ずることのないショーケースを提供する。【解決手段】ショーケース本体１の上面開口部後端の第１の空気吐出口２ｅに加え、背面側通風路２の第２の空気吐出口２ｇからも冷却空気が吐出され、この空気はショーケース本体１内を通って空気吸入口２ｆに吸入される。この場合、第２の空気吐出口２ｇから吐出された空気はショーケース本体１内の商品間を通過するため、第１の空気吐出口２ｅから吐出される空気のように外気と接触する空気に比べて温度上昇は少ない。これにより、第２の空気吐出口２ｇから吐出される温度上昇の少ない空気を空気吸入口２ｆ側に供給することができるので、第１の空気吐出口２ｅから吐出される空気が空気吸入口２ｆまで十分に到達しない場合でも、空気吸入口２ｆ側の冷却不足を解消することができる。【選択図】図４
2005160547.tif 000002
【特許請求の範囲】
【請求項１】
上面を開口したショーケース本体と、ショーケース本体内の前面側、底面側及び背面側に沿って形成された通風路と、通風路内に配置された冷却器及び送風機とを備え、ショーケース本体の上面開口部の前後方向一端側から通風路内に吸入した空気を冷却器によって冷却し、ショーケース本体の上面開口部の前後方向他端側から上面開口部に沿って吐出するようにしたショーケースにおいて、
前記ショーケース本体の上面開口部の前後方向他端側に通風路の上端側から空気を吐出する第１の空気吐出口を設け、
通風路の底面側及び背面側の少なくとも一方にはショーケース本体内に空気を吐出する第２の空気吐出口を設けた
ことを特徴とするショーケース。
【請求項２】
上面を開口したショーケース本体と、ショーケース本体内の前面側、底面側及び背面側に沿って形成された通風路と、通風路内に配置された冷却器及び送風機と、通風路の吸入側に配置された結露防止用のヒータとを備え、ショーケース本体の上面開口部の前後方向一端側から通風路内に吸入した空気を冷却器によって冷却し、ショーケース本体の上面開口部の前後方向他端側から上面開口部に沿って吐出するようにしたショーケースにおいて、
前記ショーケース本体内の空気の温度を検出する温度検出手段と、
温度検出手段の検出温度が所定温度以上になるとヒータの発熱量を低下またはヒータを停止させる制御手段とを備えた
ことを特徴とするショーケース。
【請求項３】
上面を開口したショーケース本体と、ショーケース本体内の前面側、底面側及び背面側に沿って形成された通風路と、通風路内に配置された冷却器及び送風機と、通風路の吸入側に配置された結露防止用のヒータとを備え、ショーケース本体の上面開口部の前後方向一端側から通風路内に吸入した空気を冷却器によって冷却し、ショーケース本体の上面開口部の前後方向他端側から上面開口部に沿って吐出するようにしたショーケースにおいて、
前記ショーケース本体の外部の温度を検出する温度検出手段と、
温度検出手段の検出温度が所定温度以上になるとヒータの発熱量を低下またはヒータを停止させる制御手段とを備えた
ことを特徴とするショーケース。
【請求項４】
上面を開口したショーケース本体と、ショーケース本体内の前面側、底面側及び背面側に沿って形成された通風路と、通風路内に配置された冷却器及び送風機と、通風路の吸入側に配置された結露防止用のヒータとを備え、ショーケース本体の上面開口部の前後方向一端側から通風路内に吸入した空気を冷却器によって冷却し、ショーケース本体の上面開口部の前後方向他端側から上面開口部に沿って吐出するようにしたショーケースにおいて、
前記送風機によってショーケース本体内を流通する空気の風速を検出する風速検出手段と、
風速検出手段によって検出される風速が所定の風速以下になるとヒータの発熱量を低下またはヒータを停止させる制御手段とを備えた
ことを特徴とするショーケース。
【請求項５】
上面を開口したショーケース本体と、ショーケース本体内の前面側、底面側及び背面側に沿って形成された通風路と、通風路内に配置された冷却器及び送風機と、冷却器に接続された冷媒回路の冷媒を凝縮させる凝縮器と、通風路の吸入側に配置された結露防止用のヒータとを備え、ショーケース本体の上面開口部の前後方向一端側から通風路内に吸入した空気を冷却器によって冷却し、ショーケース本体の上面開口部の前後方向他端側から上面開口部に沿って吐出するようにしたショーケースにおいて、
前記凝縮器の凝縮圧力を検出する圧力検出手段と、
圧力検出手段の検出圧力が所定圧力以上になるとヒータの発熱量を低下またはヒータを停止させる制御手段とを備えた
ことを特徴とするショーケース。
【請求項６】
上面を開口したショーケース本体と、ショーケース本体内の前面側、底面側及び背面側に沿って形成された通風路と、通風路内に配置された冷却器及び送風機と、冷却器に接続された冷媒回路に冷媒を循環する圧縮機と、通風路の吸入側に配置された結露防止用のヒータとを備え、ショーケース本体の上面開口部の前後方向一端側から通風路内に吸入した空気を冷却器によって冷却し、ショーケース本体の上面開口部の前後方向他端側から上面開口部に沿って吐出するようにしたショーケースにおいて、
前記圧縮機が停止するとヒータの発熱量を低下またはヒータを停止させる制御手段を備えた
ことを特徴とするショーケース。
【請求項７】
前記圧縮機が停止すると送風機の風量を圧縮機の作動時よりも小さくする制御手段を備えた
ことを特徴とする請求項６記載のショーケース。
【請求項８】
前記ショーケース本体の上面開口部の前後方向他端側に通風路の上端側から空気を吐出する第１の空気吐出口を設け、
通風路の底面側及び背面側の少なくとも一方にはショーケース本体内に空気を吐出する第２の空気吐出口を設けた
ことを特徴とする請求項２、３、４、５、６または７記載のショーケース。
【請求項９】
前記ショーケース本体の上面開口部の上方を覆う上部空間部と、
上部空間部の所定の面を開閉する透明の開閉部材とを備えた
ことを特徴とする請求項１、２、３、４、５、６、７または８記載のショーケース。
【請求項１０】
前記ショーケース本体の前後方向一端側または他端側における吸入側通風路の上部を透明板によって形成した
ことを特徴とする請求項１、２、３、４、５、６、７、８または９記載のショーケース。
【発明の詳細な説明】
【技術分野】
【０００１】
本発明は、例えばコンビニエンスストア等の店舗内に設置されるショーケースに関するものである。
【背景技術】
【０００２】
従来、この種のショーケースとしては、上面を開口したショーケース本体と、ショーケース本体内の前面側、底面側及び背面側に沿って形成された通風路と、通風路内に配置された冷却器及び送風機とを備え、ショーケース本体の上面開口部の前端側に設けた空気吸入口から通風路内に吸入した空気を冷却器によって冷却し、ショーケース本体の上面開口部の後端側に設けた空気吐出口から上面開口部に沿って吐出することにより、ショーケース本体の上面開口部にエアカーテンを形成するようにしたものが知られている（例えば、特許文献１参照。）。
【０００３】
また、前記ショーケース本体の上面開口部の上方に、前面及び両側面を透明に形成された上部空間部を設け、上部空間部の前面を引き戸によって開閉するようにしたものも知られている（例えば、特許文献２参照。）。
【特許文献１】特開２０００−３８６４７０号公報
【特許文献２】特開平１１−２３０６６０号公報
【発明の開示】
【発明が解決しようとする課題】
【０００４】
しかしながら、前述のようにショーケース本体の上面開口部にエアカーテンを形成するショーケースにおいては、ショーケース本体内が上面開口部のエアカーテンのみによって冷却されるため、空気吐出口から吐出される空気の風速が小さいと空気吸入口まで冷気が十分に到達せず、空気吸入口付近が冷却不足になる。特に、ショーケース本体の前面における吸入側通風路の上部を透明板によって形成した場合には、通風路の吸入側に結露防止用のヒータを設ける必要があるため、ヒータの発熱によっても冷却能力を低下させる結果となっていた。
【０００５】
そこで、吐出空気の風速を大きくすれば、空気吸入口側の冷却不足を解消することができるが、その反面、空気の送風量が過剰になり、例えば特許文献１のようにオープンタイプのショーケースでは外気の侵入量が多くなって冷気が外部に漏出したり、特許文献２のようにクローズドタイプのショーケースでは冷気が上部空間部内に流入して上部空間部の引き戸に結露を生じ易くなるという問題点があった。
【０００６】
本発明は前記問題点に鑑みてなされたものであり、その目的とするところは、吐出空気の風速を大きくせずとも冷却能力の低下を生ずることのないショーケースを提供することにある。
【課題を解決するための手段】
【０００７】
本発明は前記目的を達成するために、上面を開口したショーケース本体と、ショーケース本体内の前面側、底面側及び背面側に沿って形成された通風路と、通風路内に配置された冷却器及び送風機とを備え、ショーケース本体の上面開口部の前後方向一端側から通風路内に吸入した空気を冷却器によって冷却し、ショーケース本体の上面開口部の前後方向他端側から上面開口部に沿って吐出するようにしたショーケースにおいて、前記ショーケース本体の上面開口部の前後方向他端側に通風路の上端側から空気を吐出する第１の空気吐出口を設け、通風路の底面側及び背面側の少なくとも一方にはショーケース本体内に空気を吐出する第２の空気吐出口を設けている。
【０００８】
これにより、通風路の底面側または背面側の第２の空気吐出口からも冷却空気が吐出され、この空気はショーケース本体内を通って空気吸入口に吸入される。その際、第２の空気吐出口から吐出された空気はショーケース本体内の商品間を通過するため、第１の空気吐出口から吐出される空気のように外気と接触する空気に比べて温度上昇は少ない。従って、第２の空気吐出口から吐出される温度上昇の少ない空気が空気吸入口側に供給されることから、第１の空気吐出口から吐出される空気が空気吸入口まで十分に到達しない場合でも、空気吸入口側の冷却不足を解消することができる。
【０００９】
また、本発明は前記目的を達成するために、上面を開口したショーケース本体と、ショーケース本体内の前面側、底面側及び背面側に沿って形成された通風路と、通風路内に配置された冷却器及び送風機と、通風路の吸入側に配置された結露防止用のヒータとを備え、ショーケース本体の上面開口部の前後方向一端側から通風路内に吸入した空気を冷却器によって冷却し、ショーケース本体の上面開口部の前後方向他端側から上面開口部に沿って吐出するようにしたショーケースにおいて、前記ショーケース本体内の空気の温度を検出する温度検出手段と、温度検出手段の検出温度が所定温度以上になるとヒータの発熱量を低下またはヒータを停止させる制御手段とを備えている。
【００１０】
これにより、温度検出手段の検出温度が所定温度以上になるとヒータの発熱量が低下またはヒータが停止することから、外部からの熱負荷が増加してショーケース本体内の温度が上昇した場合にはヒータによる熱負荷が軽減される。
【発明の効果】
【００１１】
本発明によれば、吐出空気の風速を大きくせずとも冷却能力の低下を生ずることがないので、冷却能力の低下を防止することができ、ショーケース本体内を効率よく冷却することができる。
【発明を実施するための最良の形態】
【００１２】
図１及び図２は本発明の第１の実施形態を示すもので、図１はショーケースの全体斜視図、図２はその側面断面図である。
【００１３】
このショーケースは、上面を開口したショーケース本体１と、ショーケース本体１内の前面側、底面側及び背面側に沿って形成された通風路２と、通風路２内に配置された冷却器３及び送風機４と、冷却器３の冷媒回路に接続された圧縮機５及び凝縮器６と、通風路２の吸入側に配置された結露防止用のヒータ７とから構成されている。
【００１４】
ショーケース本体１は断熱壁１ａによって囲まれ、その前面上部は透明ガラスからなる前面側透明板１ｂによって形成されている。ショーケース本体１の下部には機械室１ｃが設けられ、機械室１ｃ内には圧縮機５、凝縮器６及び凝縮器用送風機６ａが配置されている。また、ショーケース本体１の上面開口部には、その周縁に沿って延びる開口枠１ｄが取付けられている。
【００１５】
通風路２は、ショーケース本体１内に設けられた前面板２ａ、底面板２ｂ及び背面板２ｃと断熱壁１ａとの間に形成され、底面側通風路２内には冷却器３及び送風機４が配置されている。前面板２ａの上方には前面側透明板１ｂと間隔をおいて対向する背面側透明板２ｄが設けられ、各透明板１ｂ，２ｄの間に通風路２の吸入側が形成されている。即ち、ショーケース本体１内の商品は、各透明板１ｂ，２ｄを介して外部から透視されるようになっている。背面側通風路２の上端には前方に向かって開口する第１の空気吐出口２ｅが設けられ、前面側通風路２の上端、即ち各透明板１ｂ，２ｄ間の上端には後方に向かって開口する空気吸入口２ｆが設けられている。また、背面板２ｃには第２の空気吐出口２ｇが設けられ、第２の空気吐出口２ｇは背面側通風路２の下部に配置されている。
【００１６】
ヒータ７は前面側透明板１ｂの上下両端及び開口枠１ｄの前面側に配置された電熱線からなり、図示しない電源からの電力によって駆動されるようになっている。
【００１７】
以上のように構成されたショーケースにおいては、空気吸入口２ｆから通風路２内に吸入された空気が冷却器３によって冷却され、通風路２の第１の空気吐出口２ｅから吐出されることにより、ショーケース本体１の上面開口部にエアカーテンが形成される。その際、背面側通風路２の第２の空気吐出口２ｇからも冷却空気が吐出され、この空気はショーケース本体１内を通って空気吸入口２ｆに吸入される。また、第２の空気吐出口２ｇから吐出された空気はショーケース本体１内の商品間を通過するため、第１の空気吐出口２ｅから吐出される空気のようにエアカーテンとして外気と接触する空気に比べて温度上昇は少ない。
【００１８】
このように、本実施形態のショーケースによれば、ショーケース本体１の上面開口部後端に設けた第１の空気吐出口２ｅに加え、背面側通風路２の下部に設けた第２の空気吐出口２ｇからも冷却空気を吐出するようにしたので、第２の空気吐出口２ｇから吐出される温度上昇の少ない空気を空気吸入口２ｆ側に供給することができ、第１の空気吐出口２ｅから吐出される空気が空気吸入口２ｆまで十分に到達しない場合でも、空気吸入口２ｆ側の冷却不足を解消することができる。従って、第１の空気吐出口２ｅから吐出される空気の風速を大きくしなくとも、冷却能力の低下を防止することができ、ショーケース本体１内を効率よく冷却することができる。
【００１９】
尚、前記実施形態では、第２の空気吐出口２ｇを背面側通風路２の下部に設けたものを示したが、図３に示すように第２の空気吐出口２ｇを通風路２の底面側及び背面側の両方に設けるようにしてもよい。
【００２０】
図４及び図５は本発明の第２の実施形態を示すもので、図４はショーケースの全体斜視図、図５はその側面断面図である。尚、第１の実施形態と同等の構成部分には同一の符号を付して示す。
【００２１】
本実施形態のショーケースは、ショーケース本体１の上面開口部の上方に上部空間部８を設けた、いわゆるクローズドタイプのものであり、上部空間部８は天板８ａ、背面板８ｂ及び左右一対の側板８ｃによって覆われている。上部空間部８の前面は引き戸８ｄによって開閉するようになっており、引き戸８ｄ及び各側板８ｃはそれぞれ透明のガラス板によって形成されている。また、天板８ａの下面には上部空間部８内を照明する照明灯８ｅが取付けられている。
【００２２】
本実施形態のショーケースでは、前記実施形態と同様、背面側通風路２の下部に第２の空気吐出口２ｇが設けられていることから、第１の空気吐出口２ｅから吐出される空気の風速を大きくしなくとも、冷却能力の低下を防止することができる。また、第１の空気吐出口２ｅから吐出される空気の風速を大きくする必要がないので、冷気が上部空間部８内に流入することがなく、上部空間部８の引き戸８ｄ及び各側板８ｃの結露防止に効果的である。
【００２３】
尚、前記実施形態では、第２の空気吐出口２ｇを背面側通風路２の下部に設けたものを示したが、例えば図６に示すように第２の空気吐出口２ｇを底面板２ｂの後部の複数箇所に設けたり、或いは図７に示すように第２の空気吐出口２ｇを底面板２ｂの全体の複数箇所に設けることにより、底面側通風路２から空気を吐出するようにしてもよい。尚、このような構成は、第１の実施形態に示すオープンタイプのショーケースにも適用することができる。また、図示していないが、第２の実施形態においても第２の空気吐出口２ｇを通風路２の底面側及び背面側の両方に設けることが可能である。
【００２４】
図８乃至図１０は本発明の第３の実施形態を示すもので、図８はショーケースの側面断面図、図９は制御系を示すブロック図、図１０は制御部の動作を示すフローチャートである。尚、第１及び第２の実施形態と同等の構成部分には同一の符号を付して示す。
【００２５】
本実施形態のショーケースは、ショーケース本体１内の空気の温度を検出する温度センサ９と、温度センサ９の検出温度に基づいて結露防止用ヒータ７の発熱量を制御する制御部１０とを備え、第２の実施形態と同様、ショーケース本体１の上面開口部の上方には上部空間部８が設けられている。
【００２６】
温度センサ９は前面側通風路２内（各透明板１ｂ，２ｄの下方）に設けられ、前面側通風路２内に吸入される空気の温度を検出するようになっている。
【００２７】
制御部１０はマイクロコンピュータによって構成され、ヒータ７及び温度センサ９に接続されている。
【００２８】
即ち、制御部１０は、図９のフローチャートに示すように、温度センサ９の検出温度Ｔが所定の基準温度Ｔ1 よりも低いときは（Ｓ１）、ヒータ７を第１の通電量で駆動し（Ｓ２）、温度センサ９の検出温度Ｔが基準温度Ｔ1 以上になると（Ｓ１）、ヒータ７を第１の通電量よりも小さい第２の通電量で駆動するようになっている（Ｓ３）。
【００２９】
このように、本実施形態のショーケースによれば、温度センサ９の検出温度が所定温度以上になると、ヒータ７の発熱量を低下させるようにしたので、外部からの熱負荷が増加してショーケース本体１内の温度が上昇した場合にはヒータ７による熱負荷を軽減することができ、第１の空気吐出口２ｅから吐出される空気の風速を大きくしなくとも、冷却能力の低下を防止することができる。また、前記実施形態と同様、第２の空気吐出口２ｇから吐出される温度上昇の少ない空気を空気吸入口２ｆ側に供給することができるので、空気吸入口２ｆ側の冷却不足を解消することができる。
【００３０】
図１１及び図１２は本発明の第４の実施形態を示すもので、図１１はショーケースの側面断面図、図１２は制御系を示すブロック図である。尚、第１及び第２の実施形態と同等の構成部分には同一の符号を付して示す。
【００３１】
本実施形態のショーケースは、ショーケース本体１内の外部の温度を検出する外気温センサ１１と、外気温センサ１１の検出温度に基づいて結露防止用ヒータ７の発熱量を制御する制御部１２とを備え、第２の実施形態と同様、ショーケース本体１の上面開口部の上方には上部空間部８が設けられている。
【００３２】
外気温センサ１１はショーケース本体１の前面に設けられ、ショーケース本体１の前方の空気の温度を検出するようになっている。
【００３３】
制御部１２はマイクロコンピュータによって構成され、ヒータ７及び外気温センサ１１に接続されている。即ち、制御部１２は、外気温センサ１１の検出温度が所定の温度以上になると、ヒータ７の発熱量を低下またはヒータ７を停止させるようになっている。尚、制御部１２の動作は第３の実施形態とほぼ同様であるため、フローチャートは省略する。
【００３４】
本実施形態のショーケースによれば、ショーケース本体１の外部の温度が上昇した場合にはヒータ７による熱負荷を軽減することができるので、前記実施形態と同様、冷却能力の低下を防止することができる。また、前記実施形態と同様、第２の空気吐出口２ｇから吐出される温度上昇の少ない空気を空気吸入口２ｆ側に供給することができるので、空気吸入口２ｆ側の冷却不足を解消することができる。
【００３５】
図１３及び図１４は本発明の第５の実施形態を示すもので、図１３はショーケースの側面断面図、図１４は制御系を示すブロック図である。尚、第１及び第２の実施形態と同等の構成部分には同一の符号を付して示す。
【００３６】
本実施形態のショーケースは、ショーケース本体１内を流通する空気の風速を検出する風速センサ１３と、風速センサ１３の検出速度に基づいて結露防止用ヒータ７の発熱量を制御する制御部１４とを備え、第２の実施形態と同様、ショーケース本体１の上面開口部の上方には上部空間部８が設けられている。
【００３７】
風速センサ１３は前面側通風路２内（各透明板１ｂ，２ｄの下方）に設けられ、前面側通風路２内に吸入される空気の風速を検出するようになっている。
【００３８】
制御部１４はマイクロコンピュータによって構成され、ヒータ７及び風速センサ１３に接続されている。即ち、制御部１４は、風速センサ１３によって検出される風速が所定の風速以下になると、ヒータ７の発熱量を低下またはヒータ７を停止させるようになっている。尚、制御部１４の動作は第３の実施形態とほぼ同様であるため、フローチャートは省略する。
【００３９】
本実施形態のショーケースによれば、例えば冷却器３が着霜により目詰まりを生じ、ショーケース本体１内を流通する空気の風速が低下した場合には、ヒータ７による熱負荷を軽減することができるので、前記実施形態と同様、冷却能力の低下を防止することができる。また、前記実施形態と同様、第２の空気吐出口２ｇから吐出される温度上昇の少ない空気を空気吸入口２ｆ側に供給することができるので、空気吸入口２ｆ側の冷却不足を解消することができる。
【００４０】
図１５及び図１６は本発明の第６の実施形態を示すもので、図１５はショーケースの側面断面図、図１６は制御系を示すブロック図である。尚、第１及び第２の実施形態と同等の構成部分には同一の符号を付して示す。
【００４１】
本実施形態のショーケースは、凝縮器６の凝縮圧力を検出する圧力センサ１５と、圧力センサ１５の検出圧力に基づいて結露防止用ヒータ７の発熱量を制御する制御部１６とを備え、第２の実施形態と同様、ショーケース本体１の上面開口部の上方には上部空間部８が設けられている。
【００４２】
圧力センサ１５は凝縮器６に取付けられ、凝縮器６内の冷媒の圧力を検出するようになっている。
【００４３】
制御部１６はマイクロコンピュータによって構成され、ヒータ７及び圧力センサ１５に接続されている。即ち、制御部１６は、圧力センサ１５の検出圧力が所定の圧力以上になると、ヒータ７の発熱量を低下またはヒータ７を停止させるようになっている。尚、制御部１６の動作は第３の実施形態とほぼ同様であるため、フローチャートは省略する。
【００４４】
本実施形態のショーケースによれば、高負荷時に凝縮器６の凝縮圧力が上昇した場合には、ヒータ７による熱負荷を軽減することができるので、前記実施形態と同様、冷却能力の低下を防止することができる。また、前記実施形態と同様、第２の空気吐出口２ｇから吐出される温度上昇の少ない空気を空気吸入口２ｆ側に供給することができるので、空気吸入口２ｆ側の冷却不足を解消することができる。
【００４５】
図１７乃至図１９は本発明の第７の実施形態を示すもので、図１７はショーケースの側面断面図、図１８は制御系を示すブロック図、図１９は制御部の動作を示すフローチャートである。尚、第１及び第２の実施形態と同等の構成部分には同一の符号を付して示す。
【００４６】
本実施形態のショーケースは、圧縮機５のオン／オフ信号に基づいて結露防止用ヒータ７の発熱量を制御する制御部１７を備え、第２の実施形態と同様、ショーケース本体１の上面開口部の上方には上部空間部８が設けられている。
【００４７】
制御部１７はマイクロコンピュータによって構成され、ヒータ７及び圧縮機駆動回路５ａに接続されている。
【００４８】
即ち、制御部１７は、図１９のフローチャートに示すように、圧縮機駆動回路５ａのオン信号を検知すると（Ｓ１０）、ヒータ７を第１の通電量で駆動するとともに（Ｓ１１）、送風機４を第１の回転数で駆動し（Ｓ１２）、圧縮機駆動回路５ａのオフ信号を検知すると（Ｓ１０）、ヒータ７を第１の通電量よりも小さい第２の通電量で駆動するとともに（Ｓ１３）、送風機４を第１の回転数よりも小さい第２の回転数で駆動するようになっている（Ｓ１４）。
【００４９】
このように、本実施形態のショーケースによれば、圧縮機５が停止すると、ヒータ７の発熱量を低下させるようにしたので、冷却器３が空気を冷却していない圧縮機５の停止時にはヒータ７による熱負荷を軽減することができ、第１の空気吐出口２ｅから吐出される空気の風速を大きくしなくとも、冷却能力の低下を防止することができる。この場合、圧縮機５が停止すると、送風機４の風量を圧縮機５の作動時よりも小さくするようにしたので、圧縮機５の停止時における外気の侵入量を少なくすることができ、冷却能力の低下防止に効果的である。また、前記実施形態と同様、第２の空気吐出口２ｇから吐出される温度上昇の少ない空気を空気吸入口２ｆ側に供給することができるので、空気吸入口２ｆ側の冷却不足を解消することができる。
【００５０】
尚、前記実施形態では、圧縮機５の停止時にヒータ７の発熱量を低下させるようにしたものを示したが、ヒータ７を停止させるようにしてもよい。
【００５１】
また、前記第３乃至第７の実施形態では、第２の空気吐出口２ｇを備えたものを示したが、第２の空気吐出口２ｇを設けていないものであってもよい。また、第３乃至第７の実施形態では、ショーケース本体１の上方に上部空間部８を有するクローズドタイプのものを示したが、第１の実施形態に示すオープンタイプのショーケースであってもよい。
【図面の簡単な説明】
【００５２】
【図１】本発明の第１の実施形態を示すショーケースの全体斜視図
【図２】ショーケースの側面断面図
【図３】第１の実施形態の変形例を示すショーケースの側面断面図
【図４】本発明の第２の実施形態を示すショーケースの全体斜視図
【図５】ショーケースの側面断面図
【図６】第２の実施形態の変形例を示すショーケースの側面断面図
【図７】第２の他の実施形態の変形例を示すショーケースの側面断面図
【図８】本発明の第３の実施形態を示すショーケースの側面断面図
【図９】制御系を示すブロック図
【図１０】制御部の動作を示すフローチャート
【図１１】本発明の第４の実施形態を示すショーケースの側面断面図
【図１２】制御系を示すブロック図
【図１３】本発明の第５の実施形態を示すショーケースの側面断面図
【図１４】制御系を示すブロック図
【図１５】本発明の第６の実施形態を示すショーケースの側面断面図
【図１６】制御系を示すブロック図
【図１７】本発明の第７の実施形態を示すショーケースの側面断面図
【図１８】制御系を示すブロック図
【図１９】制御部の動作を示すフローチャート
【符号の説明】
【００５３】
１…ショーケース本体、２…通風路、３…冷却器、４…送風機、５…圧縮機、６…凝縮器、７…ヒータ、８…上部空間部、８ｄ…引き戸、９…温度センサ、１０…制御部、１１…外気温度センサ、１２…制御部、１３…風速センサ、１４…制御部、１５…圧力センサ、１６，１７…制御部。
【図１】
2005160547.tif 000003
【図２】
2005160547.tif 000004
【図３】
2005160547.tif 000005
【図４】
2005160547.tif 000006
【図５】
2005160547.tif 000007
【図６】
2005160547.tif 000008
【図７】
2005160547.tif 000009
【図８】
2005160547.tif 000010
【図９】
2005160547.tif 000011
【図１０】
2005160547.tif 000012
【図１１】
2005160547.tif 000013
【図１２】
2005160547.tif 000014
【図１３】
2005160547.tif 000015
【図１４】
2005160547.tif 000016
【図１５】
2005160547.tif 000017
【図１６】
2005160547.tif 000018
【図１７】
2005160547.tif 000019
【図１８】
2005160547.tif 000020
【図１９】
2005160547.tif 000021